(57)【要約】      （修正有）【課題】より省スペースに折り畳みが可能で、より簡便に折り畳みができるごみ収集箱を提供する。【解決手段】突き出し部が設けられた背面板２と、前記背面板と回転可能に接続され、折り畳み可能で、かつ、広げた状態において、前方にいくに従い低くなるよう傾いた部分を有している一対の側面板３１等と、前記一対の側面板と回転可能に接続され、かつ接地用ローラーが付された前面板４と、前記前面板に設置される引き出し部材５と、前記背面板に設けられる突き出し部と回転可能に接続され、取手部材及び開閉可能な扉を備えた蓋板６と、前記蓋板と前記一対の側面板のそれぞれとの間を接続する接続部材と、を有するゴミ収集箱とする。【選択図】図１
0003152569.tif 000002
【実用新案登録請求の範囲】
【請求項１】
突き出し部が設けられた背面板と、
前記背面板と回転可能に接続され、折り畳み可能で、かつ、広げた状態において、前方にいくに従い低くなるよう傾いた部分を有している一対の側面板と、
前記一対の側面板と回転可能に接続され、かつ接地用ローラーが付された前面板と、
前記前面板に設置される引き出し部材と、
前記背面板に設けられる突き出し部と回転可能に接続され、取手部材及び開閉可能な扉を備えた蓋板と、
前記蓋板と前記一対の側面板のそれぞれとの間を接続する接続部材と、を有するゴミ収集箱。
【請求項２】
前記背面板、側面板、前面板、前記蓋板、前記扉のいずれもが金属枠と、前記金属枠内に張られた金属網により構成されている請求項１記載のゴミ収集箱。
【請求項３】
前記前面板に、前記蓋板を支持するための蓋支持ローラーが付された請求項１記載のゴミ収集箱。
【請求項４】
前記一対の側面板のそれぞれは、回転支持部材を介して接続される二つの小側面板を有しかつ内側に折れ曲がるよう構成されおり、
前記接続部材は、前記蓋板の内面部分と、前記二つの小側面板のうち前記前面板に近い側の小側面板の内面部分とを接続してなる請求項１記載のゴミ収集箱。
【請求項５】
前記背面板に、掲示板を備えた請求項１記載のゴミ収集箱。
【考案の詳細な説明】
【技術分野】
【０００１】
本考案は、ゴミ収集箱に関し、より詳細には、折り畳み可能なごみ収集箱に関する。
【背景技術】
【０００２】
日常生活において生じる家庭ごみは、一般に、住宅近隣の定められた場所に定められた曜日に集められ、ゴミ収集車によって回収される。この際、カラスや猫等によるゴミの散乱を防止する観点を主として、ゴミ収集ネットやゴミ収集箱を設置する場合が多い。
【０００３】
ゴミ収集ネットは、集められた複数のごみ袋全体を覆うように配置するだけで済むため簡便である一方、カラス等が簡単に中のゴミをあさってしまうのを許してしまう場合が多く、また、ゴミを雑然と置くことを許容せざるをえず、課題も多い。
【０００４】
一方で、ゴミ収集箱は、背面板、側面板、蓋を有しているのが一般的であり、このようにすることで、カラス等がゴミをあさってしまうのを防止し、景観悪化防止、ゴミ収集、分別の効率向上を図ることができるといった利点がある。
【０００５】
なお、ゴミ収集箱に関する公知の技術として、たとえば、下記特許文献１には、背面枠の支柱を地中に固定し、前面枠の支柱を背面枠に回動枠で接続することで、折りたたみが可能な式ゴミ箱に関する技術が開示されている。
【特許文献１】特開２００７−１５８５６号公報
【考案の開示】
【考案が解決しようとする課題】
【０００６】
しかしながら、上記特許文献１に記載の技術では、広げる際及び折りたたむ際に前面枠を上下に大きく動かさなければならないといった課題があり、これを回避する場合は奥行きを薄くしなければならないといった課題がある。
【０００７】
そこで、本考案は、上記課題を鑑み、より省スペースに折り畳みが可能で、より簡便に折り畳みができるごみ収集箱を提供することを目的とする。
【課題を解決するための手段】
【０００８】
上記課題を解決する第一の観点に係るゴミ箱は、突き出し部が設けられた背面板と、背面板と回転可能に接続され、折り畳み可能で、かつ、広げた状態において前方にいくに従い低くなるよう傾いた部分を有している一対の側面板と、一対の側面板と回転可能に接続され、かつ接地用ローラーが付された前面板と、前面板に設置される引き出し部材と、背面板に設けられる突き出し部と回転可能に接続され、取手部材及び開閉可能な扉を備えた蓋板と、蓋板と前記一対の側面板のそれぞれとの間を接続する接続部材と、を有する。
【０００９】
なおこの観点において、限定されるわけではないが、背面板、側面板、前面板、前記蓋板、前記扉のいずれもが金属枠と、前記金属枠内に張られた金属網により構成されていることは好ましい一態様である。
【００１０】
なおこの観点において、限定されるわけではないが、前面板に、蓋板を支持するための蓋支持ローラーを付することは好ましい一態様である。
【００１１】
なおこの観点において、限定されるわけではないが、一対の側面板のそれぞれは、ヒンジを介して接続される二つの小側面板を有しかつ内側に折れ曲がるよう構成されおり、接続部材は、蓋板の内面部分と、二つの小側面板のうち前記前面板に近い側の小側面板の内面部分とを接続してなることは好ましい一態様である。
【００１２】
またこの観点において、限定されるわけではないが、背面板に、掲示板を備えることは好ましい一態様である。
【考案の効果】
【００１３】
以上、本考案により、より省スペースに折り畳みが可能で、より簡便に折り畳みができるゴミ収集箱を提供することができる。
【図面の簡単な説明】
【００１４】
【図１】実施形態に係るごみ収集箱を広げた状態における概略斜視図である。
【図２】実施形態に係るごみ収集箱を折り畳んだ状態における概略斜視図である。
【図３】実施形態に係るごみ収集箱を広げた状態における概略左側面図である。
【図４】実施形態に係るごみ収集箱を折り畳んだ状態における概略左側面図である。
【図５】実施形態に係るゴミ収集箱の背面板及び側面板を上から見た場合の断面概略図である。
【図６】実施形態に係る接続部材の説明図である。
【図７】蓋支持ローラーを付した場合の前面板の一例を示す図である。
【考案を実施するための最良の形態】
【００１５】
以下、本考案の実施の形態について、図面を用いて詳細に説明する。ただし、本考案は多くの異なる形態による実施が可能であり、以下に示す実施形態、実施例の例示に狭く限定されるものではない。
【００１６】
図１は、本実施形態に係るゴミ収集箱（以下「本ゴミ収集箱」という。）１を広げた場合における概略斜視図を示す。また図２は、本ゴミ収集箱１を折り畳んだ場合における概略斜視図を示す。また図３は、本ごみ収集箱１を広げた場合における概略左側面図を示す。また図４は、本ごみ収集箱１を折り畳んだ状態における概略左側面図を示す。
【００１７】
これらの図で示されるよう、本実施形態に係るゴミ収集箱１は、突き出し部２１が設けられた背面板２と、背面板２と回転可能に接続され、折り畳み可能で、かつ、広げた状態において前方にいくに従い低くなるよう傾いた部分を有している一対の側面板３１、３２と、一対の側面板３１、３２と回転可能に接続され、かつ接地用ローラー４３が付された前面板４と、前面板４に設置される引き出し部材５と、背面板２に設けられる突き出し部２１と回転可能に接続され、取手部材６３及び開閉可能な扉６１、６２を備えた蓋板６と、蓋板６と一対の側面板３１、３２のそれぞれとの間を接続する接続部材７１、７２と、を有する。
【００１８】
本実施形態において、背面板２は、ゴミ収集箱１の壁部分を構成する部材の一つである。本背面板２は、地面固定部２２を有し、地面に固定される。背面板２は、カラス等がゴミの存在を認識できないよう平板で構成されていてもよいが、カラス等のくちばし入らない程度のものであれば、金属枠と、この枠内に張られる金属網で構成すると、カラス等による散乱と通気性の双方を確保することができ、より効果が高くなる。
【００１９】
また、背面板２には突き出し部２１が形成されており、蓋板６が所定の角度回転可能に接続されている。突き出し部２１を設けることで、側面板３１、３２及び前面板４の厚み分だけ蓋板６を前に配置させることができ、ゴミ収集箱の平面性を確保することすなわちゴミ収集箱をよりコンパクトにたたむことができるようになる。なお、蓋板６の回転は可能である限りにおいて限定されないが、ヒンジや、背面板、蓋板の一方に軸部材を、他方にこの軸部材を挿入する筒状の受部材の組み合わせといった回転支持部材を用いて回転可能に形成することが好ましい。
【００２０】
図５は、背面板２及び一対の側面板３１、３２を上から見た場合における概略図を示しておく。図５（Ａ）は側面板を折り畳んだ状態、図５（Ｂ）は広げた場合の状態をそれぞれ示している。
【００２１】
本実施形態において一対の側面板３１、３２は、背面板２と回転可能に接続されている。側面板３１、３２は、地面に対して略平行（水平）な面上で回転可能となっていることが好ましい。背面板２と側面板３１、３２の接続は、上記の限り限定されるわけではないが、上記蓋板と背面板との関係と同様、ヒンジや、軸部材と受部材の組合せを用いてもよい。また側面板３１、３２は、平板を用いることも可能であるが、上記背面板２と同様、金属の枠と、この枠内に張られた金属網からなることも好ましい一例である。
【００２２】
また一対の側面板３１、３２は、折り畳み可能であることが好ましく、例えば上記図で示すように、一対の側面板３１、３２のそれぞれは、複数の小側面板３１１、３１２、３２１、３２２からなり、これらをそれぞれ水平面上で回転可能となるように接続しておくことが好ましい。このようにすることで、ゴミ収集箱の奥行きを十分に広く確保することができるとともに、側面板に前面板を接続しても滑らかに引き出すことができるようになる。なおこの場合において、側面板３１、３２は、ゴミ収集箱内側に折り畳み可能となっていることがよりコンパクトになる点で好ましく、小側面板同士の接続は、上記蓋板と背面板との関係同様、ヒンジで接続してもよいし、軸部材と受部材との組み合わせであっても良い。また小側面板の少なくとも一方には、広げた状態を安定的に保つこと及び所望の方向とは反対の方向に折り曲がらないように抑え板３１３、３２３を設けられていることが好ましい。
【００２３】
また、一対の側面板３１、３２のそれぞれは、広げた状態において、前方（背面板２から前面板４の方向）にいくに従い低くなるよう傾いた部分を有していることが好ましく、特に前面板に対応する部分において傾いた部分を有していることが好ましい。これによりゴミ収集箱の使用者（以下「使用者」という。）がゴミを入れやすくなる等使用しやすくなるといった利点、折り畳む場合に蓋板の自重を利用してよりたたみやすくなるといった利点がある。なお傾いた角度としては、限定されるわけではないが地面に対して約３０度以上６０度以下であることが好ましく、より好ましくは４０度から５０度である。
【００２４】
本実施形態において前面板４は、ゴミ収集箱の一側面を構成するものであり、一対の側面板３１、３２と回転可能に接続されている。また前面板４には下部に接地用ローラーが付されている。このような構成とすることで、滑らかに前面板４を押す又は引くことが可能となり、滑らかにゴミ収集箱を広げ、また、折り畳むことができるようになる。また前面板４は、上記側面板３１の前面側側面板３１１の高さと同じ高さとなっていることが好ましく、このようにすることで蓋板との隙間をほぼ無くすことができる。
【００２５】
また前面板４には、引き出し部材５が付されている。実際、前面板４は使用者の腰の位置よりも低い位置に配置されている場合も多いことから、引き出し部材５を配置することで、前面板４に力をくわえやすくできるといった効果がある。なお、引き出し部材５は、前面板４に対し回転可能に接続され、かつ、折れ曲っていることが好ましい。回転可能とすることで、引き出し部材を使用しない際には折り畳み収納しておくことが可能となるとともに、例えば上記図２で示すように、折り畳んだ際、背面板２、側面板３１、３２、蓋板６、前面板４を抑えておく押さえ部材としての役割を果たすことができるようになる。なお、前面板４としては、上記背面板２と同様、平板であってもよいが、金属枠とこの金属枠に張られた金属網とを有して構成されていることが好ましい。
【００２６】
本実施形態において蓋板６は、ゴミ収集箱の一面を構成する部材であって、使用者がゴミを入れる際用いる面である。本実施形態に係る蓋板６には、取手部材６３及び開閉可能な扉６１、６２が備えられている。使用者は、扉６１、６２を開閉することでゴミの出し入れが可能となる。なお、本蓋板６自体、扉のいずれも、上記背面板と同様、平板であってもよいが、金属枠と金属枠内に張られた金属網とを有して構成されていることがこのましい。
【００２７】
本実施形態において扉６１、６２は、蓋板６に対し回転可能に接続されていることが好ましく、左右方向（蓋板６の幅方向）に開く（いわゆる観音開きとなる）よう備えられていることがより好ましい。このような配置とすることで扉の開閉が容易になる。なお扉の各々においても、扉の取手部６１１、６２１を設けておくことは好ましい態様である。
【００２８】
また、本実施形態において蓋板６の裏面には、一対の側面板３１、３２の内側それぞれと接続する接続部材７１、７２が備えられている。接続部材７１、７２を設けることで、例えば使用者は、蓋板６を持ち上げることで、より容易にゴミ収集箱１を折り畳むことができるようになる。具体的に説明すると、使用者が蓋板６を持ち上げると、接続部材７１、７２により各側面板３１、３２には上側及び内側に引く力が加えられる。すると側面板３１、３２はこれがきっかけとなり内側に折れ曲り始めるため、後は前面板４を引き出し部材５を介して押すことでゴミ収集箱をより容易にたたむことができるようになる。なお接続部材７１、７２は、側面板が複数の小側面板で構成されている場合、蓋の裏面と前面板に近い側の小側面板３１２、３２２の内面部分を接続していることが好ましい。このようにすることで小側面板を折り畳んだ際、手前正面側に前面板に近い側の小側面板の内面部分が向くこととなるため、折り畳みの際邪魔になることがなく、コンパクトな折り畳みに寄与することができる。なお接続部材としては、限定されるわけではないが、線状の部材であり、ある程度の荷重に耐えうる部材であることが好ましく、例えば鎖を好適に用いることができる。なお、接続部材を説明するための図を図６に示しておく。
【００２９】
なお本実施形態において、背面板２には、更に掲示板８が備え付けられていることが好ましい。このようにすることで使用者間の連絡を容易に行なうことができるようになるだけでなく、遠くからであっても視認するための目印とすることができる。また例えば、掲示板に広告を付することで、広告収入費を本ゴミ収集箱の購入費の一部に当てることが可能となる。
【００３０】
次に、本実施形態に係るゴミ収集箱を広げる動作、折り畳む動作について説明する。まず使用者は、蓋板のフック６４１、６４２に引っ掛けられた前面板４に接続されている引き出し部材５を取り外し、折り畳まれたゴミ収集箱の前面板を前面に引きつつ一対の側面板を広げ、ゴミ収集箱の側面及び前面を形成することができる。なおこの際、蓋板６に対しては特に動作を加える必要なく、前面板の上辺に支えられ徐々に上方向に移動回転し、前面板が引き終わりとともに、蓋板の配置が完了する。なお、前面板４に備えられる引き出し部材５は、前面板４が引き終わった場合、使用しなくなるため、危険防止のため、前面板４に別途設けられるフック４１に引っ掛けておくと良い。
【００３１】
一方、ゴミ収集箱を折り畳む動作としては、まず、前面板４のフック４１に引っ掛けられた引き出し部材５を開放し、蓋板６の取手部６３を掴み上方に引き上げる。すると、接続部材により一対の側面板それぞれが上側及び内側に引っ張られ、少し折れ曲がる。するとこれがきっかけとなり伴い前面板が少し後退する。そして前面板が後退したのを確認した後、徐々に蓋部６を下ろすことで蓋板６の裏面を前面板の上辺に当てることができる。そして蓋板６の重さにより前面板を後方に押すことで、徐々に蓋板及び前面板を下げることができる。そして十分に蓋板が戻ったのを確認した後、前面蓋４に接続された引き出し部材５を蓋板６のフック６４１、６４２に掛けることで収納が完了する。これにより、非常に容易に折り畳みが可能となる。
【００３２】
なおこの広げる動作、折り畳む動作において、蓋板の裏面は前面板４の上辺と接することなるため、前面板４の上辺には、蓋を指示するための蓋支持ローラー４４を設けておくことが好ましい。蓋支持ローラーの数としては限定されるわけではないが、例えば上辺の左右両端に一つずつ設けておくことは好ましい態様である。この場合の図を例えば図７に示しておく。
【００３３】
以上の通り、本考案によると、より省スペースに折り畳みが可能で、より簡便に折り畳みができるゴミ収集箱を提供することができる。
【産業上の利用可能性】
【００３４】
本考案は、ゴミ収集箱として産業上の利用可能性がある。
【符号の説明】
【００３５】
１…ゴミ収集箱、２…背面板、３１・３２…側面板、４…前面板、５…引き出し部材、６…蓋板
【図１】
0003152569.tif 000003
【図２】
0003152569.tif 000004
【図３】
0003152569.tif 000005
【図４】
0003152569.tif 000006
【図５】
0003152569.tif 000007
【図６】
0003152569.tif 000008
【図７】
0003152569.tif 000009